(57)【要約】【課題】加熱されたシート媒体を冷却するのに十分な冷却性能を確保しながら消費電力を低減できるように冷却ファンを適切に制御する。【解決手段】シート媒体の加熱または冷却に関わる温度と、画像形成を行うシート媒体の属性値とに基づいて、冷却ファンを制御する。画像形成を行うシート媒体の属性値が第１の属性値から該第１の属性値より熱容量が小さい第２の属性値に変化した場合、冷却ファンの制御状態を、変化後の所定時間の間、第１の属性値に対応する制御状態に維持し、属性値が所定時間の間に第２の属性値から変化しない場合に、所定時間が経過した後に、冷却ファンの制御状態を第２の属性値に対応する制御状態に変更する。【選択図】図４
2016145875.tif 000002
【特許請求の範囲】
【請求項１】
シート媒体に対して画像形成を行う画像形成装置であって、
画像形成により加熱されたシート媒体を直接または間接的に冷却するための１以上の冷却ファンと、
シート媒体の加熱または冷却に関わる温度を検出する検出手段と、
画像形成を行うシート媒体の熱容量に関わる属性値を特定する特定手段と、
前記検出手段により検出された前記温度と、前記特定手段により特定された前記属性値とに基づいて、前記冷却ファンを制御する制御手段と、を備え、
前記制御手段は、前記特定手段により特定された前記属性値が第１の属性値から該第１の属性値より熱容量が小さい第２の属性値に変化した場合に、前記冷却ファンの駆動個数と回転速度の少なくとも一方を含む制御状態を、変化後の所定時間の間、前記第１の属性値に対応する制御状態に維持し、前記特定手段により特定された前記属性値が前記所定時間の間に前記第２の属性値から変化しない場合に、前記所定時間が経過した後に、前記冷却ファンの制御状態を前記第２の属性値に対応する制御状態に変更する、画像形成装置。
【請求項２】
画像形成により加熱されたシート媒体の熱を、循環する冷却液に伝熱させて該シート媒体を冷却する冷却ユニットをさらに備え、
前記冷却ファンは、前記冷却ユニットを冷却するように設けられ、
前記所定時間は、前記冷却ユニットにおいて前記冷却液が一巡するのに要する時間に基づき決定される、請求項１に記載の画像形成装置。
【請求項３】
前記冷却ユニットは、画像形成により加熱されたシート媒体を搬送しながら該シート媒体を冷却し、
前記制御手段は、前記冷却ユニットによるシート媒体の搬送速度に応じて、前記冷却ファンの制御状態を調整する、請求項２に記載の画像形成装置。
【請求項４】
前記冷却ユニットは、直列接続されて前記冷却液が順次流れる複数の冷却ジャケットを有し、
前記制御手段は、前記複数の冷却ジャケットの温度勾配が所定範囲内となるように、前記冷却ファンの制御状態を調整する、請求項２または３に記載の画像形成装置。
【請求項５】
前記所定時間を設定するオペレータの操作入力を受け付けるオペレータパネルをさらに備え、
前記オペレータパネルが前記所定時間を設定する操作入力を受け付けた場合、前記所定時間は、該操作入力に基づいて決定される、請求項１乃至４のいずれか一項に記載の画像形成装置。
【請求項６】
前記属性値は、シート媒体の厚さ、シート媒体のサイズ、およびシート媒体の素材のいずれかまたは組み合わせである、請求項１乃至５のいずれか一項に記載の画像形成装置。
【請求項７】
前記属性値を設定するオペレータの操作入力を受け付けるオペレータパネルをさらに備え、
前記特定手段は、前記オペレータパネルが前記属性値を設定する操作入力を受け付けた場合、該操作入力に基づいて、画像形成を行うシート媒体の前記属性値を特定する、請求項１乃至６のいずれか一項に記載の画像形成装置。
【請求項８】
搬送されるシート媒体の前記属性値を検知する検知手段をさらに備え、
前記特定手段は、前記オペレータパネルが前記属性値を設定する操作入力を受け付けていない場合、または、前記オペレータパネルが受け付けた操作入力に応じた前記属性値が前記検知手段により検知された前記属性値と異なる場合、前記検知手段により検知された前記属性値を、画像形成を行うシート媒体の前記属性値として特定する、請求項７に記載の画像形成装置。
【請求項９】
前記制御手段が前記冷却ファンを冷却能力が最大となる制御状態に制御している間に前記検出手段により検出された前記温度が所定温度を超えた場合に、画像形成を行うシート媒体の搬送間隔を大きくする、または、画像形成を行うシート媒体の搬送速度を低下させる搬送制御手段をさらに備える、請求項１乃至８のいずれか一項に記載の画像形成装置。
【請求項１０】
シート媒体に対して画像形成を行うとともに、画像形成により加熱されたシート媒体を１以上の冷却ファンにより直接または間接的に冷却する画像形成装置において実行される冷却ファン制御方法であって、
シート媒体の加熱または冷却に関わる温度を検出する検出工程と、
画像形成を行うシート媒体の熱容量に関わる属性値を特定する特定工程と、
前記検出工程において検出された前記温度と、前記特定工程において特定された前記属性値とに基づいて、前記冷却ファンを制御する制御工程と、を含み、
前記制御工程では、前記特定工程において特定された前記属性値が第１の属性値から該第１の属性値より熱容量が小さい第２の属性値に変化した場合に、前記冷却ファンの駆動個数と回転速度の少なくとも一方を含む制御状態を、変化後の所定時間の間、前記第１の属性値に対応する制御状態に維持し、前記特定工程において特定された前記属性値が前記所定時間の間に前記第２の属性値から変化しない場合に、前記所定時間が経過した後に、前記冷却ファンの制御状態を前記第２の属性値に対応する制御状態に変更する、冷却ファン制御方法。
【発明の詳細な説明】
【技術分野】
【０００１】
本発明は、画像形成装置および冷却ファン制御方法に関する。
【背景技術】
【０００２】
例えば電子写真方式の画像形成装置では、定着器でトナーを定着させる際にシート媒体が加熱されるため、多数の冷却ファンを用いて加熱されたシート媒体を冷却するなどの対策がとられることが多い。
【０００３】
加熱されたシート媒体を確実に冷却するために多数の冷却ファンを駆動すると、多大な電力を消費することになる。一方で、近年では環境への配慮などから省エネルギー化への取り組みが重要視されており、画像形成装置においても消費電力を極力削減することが求められている。このため、冷却ファンを適切に制御することで効率的な冷却を行い、消費電力の削減を図ることが検討されている。
【０００４】
冷却ファンの制御技術としては、例えば特許文献１に記載の技術が知られている。この特許文献１に記載の技術は、冷却ファンの駆動により生じる空気流により表示パネルを冷却するに際し、表示パネルでの表示制御を行う表示制御回路の温度を温度センサにより検出し、検出した表示制御回路の温度に応じて冷却ファンの回転速度または駆動個数を制御するというものである。
【発明の概要】
【発明が解決しようとする課題】
【０００５】
しかし、このような従来の制御技術を画像形成装置に適用した場合、加熱されたシート媒体の搬送速度が速いために、温度センサにより検出した温度を冷却ファンの制御にフィードバックしても制御の遅延が生じる場合が多く、適切な制御が難しい。また、画像形成を行うシート媒体の熱容量に関わる属性値（例えば、厚さやサイズ、素材など）が切り替わった場合は、加熱されたシート媒体の冷却に必要な冷却性能も変化するが、これらの情報を冷却ファンの制御にフィードバックできないため、適切な制御が難しい。このため、突然の冷却不足とならないように十分にマージンを持たせた状態で冷却ファンを制御しなければならず、必要以上の電力を消費してしまう不都合があった。
【課題を解決するための手段】
【０００６】
上述した課題を解決するために、本発明は、シート媒体に対して画像形成を行う画像形成装置であって、画像形成により加熱されたシート媒体を直接または間接的に冷却するための１以上の冷却ファンと、シート媒体の加熱または冷却に関わる温度を検出する検出手段と、画像形成を行うシート媒体の熱容量に関わる属性値を特定する特定手段と、前記検出手段により検出された前記温度と、前記特定手段により特定された前記属性値とに基づいて、前記冷却ファンを制御する制御手段と、を備える。前記制御手段は、前記特定手段により特定された前記属性値が第１の属性値から該第１の属性値より熱容量が小さい第２の属性値に変化した場合に、前記冷却ファンの駆動個数と回転速度の少なくとも一方を含む制御状態を、変化後の所定時間の間、前記第１の属性値に対応する制御状態に維持し、前記特定手段により特定された前記属性値が前記所定時間の間に前記第２の属性値から変化しない場合に、前記所定時間が経過した後に、前記冷却ファンの制御状態を前記第２の属性値に対応する制御状態に変更する。
【発明の効果】
【０００７】
本発明によれば、加熱されたシート媒体を冷却するのに十分な冷却性能を確保しながら消費電力を低減できるように冷却ファンを適切に制御することができる。
【図面の簡単な説明】
【０００８】
【図１】図１は、実施形態の画像形成装置の機械的な構成例を示す図である。
【図２】図２は、冷却ユニットの構成例を示す図である。
【図３】図３は、冷却ファンの制御に関わる制御系のハードウェア構成例を示すブロック図である。
【図４】図４は、システム制御回路の機能的な構成例を示すブロック図である。
【図５】図５は、複数の制御状態の一例を説明する図である。
【図６】図６は、冷却ファンの制御例を説明するタイミングチャートである。
【図７】図７は、冷却ファンの制御例を説明するタイミングチャートである。
【図８】図８は、冷却ジャケットの温度勾配を説明する図である。
【発明を実施するための形態】
【０００９】
以下に添付図面を参照しながら、本発明を適用した画像形成装置および冷却ファン制御方法の実施形態について詳しく説明する。なお、以下で説明する実施形態では、本発明を適用した画像形成装置の一例として、電子写真方式でフルカラーの画像形成を行うタンデム型の画像形成装置を例示するが、適用可能な画像形成装置はこの例に限らない。
【００１０】
図１は、本実施形態の画像形成装置１の機械的な構成の一例を示す構成図である。この画像形成装置１は、中間転写方式によりイエロー、マゼンタ、シアンおよびブラックのトナー像を重ね合わせてシート媒体Ｓに転写し、シート媒体Ｓに転写されたトナー像を加熱溶融して定着させ、排出する画像形成装置である。この画像形成装置１は、特に多数枚のシート媒体Ｓを連続的に搬送して高速に画像形成を行うプロダクション用途に適した画像形成装置であり、例えば図１に示すように、シート媒体Ｓの排出口に排紙装置２０が接続されている。
【００１１】
画像形成装置１は、シート媒体Ｓを格納する給紙トレイ２ａ，２ｂと、搬送されるシート媒体Ｓに対する画像形成を行う画像形成部と、搬送されるシート媒体Ｓの厚さを検知する厚さ検知装置３と、画像形成により加熱されたシート媒体Ｓを冷却する冷却ユニット３０と、冷却ユニット３０の温度を検出する温度センサ４と、オペレータパネル５とを備える。本実施形態では、給紙トレイ２ａ，２ｂから給紙されて搬送されるシート媒体Ｓに対して画像形成を行うことを想定するが、画像形成装置１に対して大容量給紙ユニットを接続し、この大容量給紙ユニットから給紙されて搬送されるシート媒体Ｓに対して画像形成を行う構成であってもよい。オペレータパネル５は、オペレータが画像形成装置１に対して各種の設定を行うための操作入力を受け付けるとともに、各種の情報を表示してオペレータに通知するためのユーザインターフェースである。
【００１２】
画像形成部は、４つの作像ユニット１０ａ，１０ｂ，１０ｃ，１０ｄと、中間転写ベルト１６と、二次転写ローラ１７と、定着装置１８とを備える。作像ユニット１０ａ〜１０ｄは、中間転写ベルト１６の移動方向（図中矢印Ｂ方向）に沿って配置されている。作像ユニット１０ａ〜１０ｄは、例えば、作像ユニット１０ａがイエロー、作像ユニット１０ｂがマゼンタ、作像ユニット１０ｃがシアン、作像ユニット１０ｄがブラックにそれぞれ対応している。なお、作像ユニットの数は４つに限定されるものではなく、画像形成装置１の用途に応じて適宜増減することができる。
【００１３】
作像ユニット１０ａは、感光体としての感光ドラム１１ａと、ドラム帯電器１２ａと、露光装置１３ａと、現像器１４ａと、一次転写ローラ１５ａとを備えて構成されている。作像ユニット１０ｂ〜１０ｄも同様に、感光ドラム１１ｂ〜１１ｄ、ドラム帯電器１２ｂ〜１２ｄ、露光装置１３ｂ〜１３ｄ、現像器１４ｂ〜１４ｄ、一次転写ローラ１５ｂ〜１５ｄを備えて構成されている。
【００１４】
感光ドラム１１ａは、例えばホストコンピュータなどの上位装置からの指令などに応じて画像形成部での画像形成プロセスが開始されると、図中矢印Ａ方向に回転を始め、画像形成プロセスが終了するまで回転を続ける。感光ドラム１１ａが回転を開始すると、ドラム帯電器１２ａに高電圧が印加され、感光ドラム１１ａの表面に負の電荷が均一に帯電される。その後、帯電された感光ドラム１１ａの表面に、露光装置１３ａから画像データに応じて変調された書込光が照射され、感光ドラム１１ａに画像データに応じた静電潜像が形成される。そして、感光ドラム１１ａの回転により静電潜像が形成された部分が現像器１４ａと対向する位置に到達すると、現像器１４ａから負電荷に帯電したトナーが静電潜像へと引き付けられ、静電潜像がトナーにより現像されて感光ドラム１１ａ上にトナー像が形成される。
【００１５】
感光ドラム１１ａ上に形成されたトナー像は、中間転写ベルト１６を挟んで一次転写ローラ１５ａと対向する位置に到達すると、一次転写ローラ１５ａに印加された高電圧の作用によって中間転写ベルト１６側に引きつけられ、図中矢印Ｂ方向に移動している中間転写ベルト１６上に転写（一次転写）される。
【００１６】
作像ユニット１０ａに続いて作像ユニット１０ｂでも同様に画像形成動作が行われ、感光ドラム１１ｂ上に形成されたトナー像が、一次転写ローラ１５ｂに印加された高電圧の作用により中間転写ベルト１６上に転写（一次転写）される。このとき、感光ドラム１１ｂ上に形成されたトナー像が一次転写ローラ１５ｂと対向する位置に到達するタイミングが、感光ドラム１１ａから中間転写ベルト１６上に転写されたトナー像が中間転写ベルト１６の移動により一次転写ローラ１５ｂの位置に到達するタイミングに合うように制御されることで、感光ドラム１１ａから転写されたトナー像と感光ドラム１１ｂから転写されたトナー像とが中間転写ベルト１６上で重ね合わされる。
【００１７】
同様に、作像ユニット１０ｃの感光ドラム１１ｃ上に形成されたトナー像と、作像ユニット１０ｄの感光ドラム１１ｄ上に形成されたトナー像が順次、中間転写ベルト１６上に転写されることにより、中間転写ベルト１６上にはフルカラーのトナー像が形成されることになる。
【００１８】
一方、画像形成を行うシート媒体Ｓは、給紙トレイ２ａ，２ｂのうち、上位装置からの指令あるいはオペレータパネル５からの操作入力に応じて選択された給紙トレイから給紙される。給紙トレイ２ａ，２ｂから給紙されたシート媒体Ｓは、図中破線で示す搬送路に沿って図中矢印Ｃ方向に搬送され、中間転写ベルト１６上に形成されたフルカラーのトナー像と同期して二次転写ローラ１７と対向する位置に到達する。そして、二次転写ローラ１７に印加された高電圧の作用によって、中間転写ベルト１６上に形成されたフルカラーのトナー像がシート媒体Ｓに転写（二次転写）される。
【００１９】
フルカラーのトナー像が転写されたシート媒体Ｓは、定着装置１８へと搬送される。そして、定着装置１８によって熱および圧力が与えられることにより、シート媒体Ｓに転写されたフルカラーのトナー像がシート媒体Ｓに定着する。トナー像の定着により加熱されたシート媒体Ｓは、シート媒体Ｓの搬送路の定着装置１８よりも下流側に設けられた冷却ユニット３０および冷却ファンにより冷却された後、排出口から排紙装置２０へと搬送される。
【００２０】
排紙装置２０は、画像形成装置１により画像形成が行われて冷却されたシート媒体Ｓを、第１排紙トレイ２１または第２排紙トレイ２２のいずれかに排出する。シート媒体Ｓの排出先は、分岐爪２３の動作によって切り替えられる。なお、本実施形態では、画像形成装置１に排紙装置２０のみを接続した構成を例示しているが、製本・パンチ・ステープルなどの後処理を行う後処理装置をさらに画像形成装置１に接続する構成としてもよい。
【００２１】
本実施形態の画像形成装置１では、搬送路に沿って搬送されるシート媒体Ｓの厚さを、例えば二次転写ローラ１７の位置（二次転写位置）の上流側に設けられた厚さ検知装置３（検知手段）により検知できるようにしている。厚さ検知装置３は、シート媒体Ｓの厚さを検知可能な構成であればよく、例えば特許第４９６１３６７号公報、特許第５３１１２７９号公報、特許第５５４０８９５号公報などに記載された公知のものをいずれも利用できる。また、厚さ検知装置３は、シート媒体Ｓの搬送路の定着装置１８よりも上流側であれば、図１に例示した位置に限らず、任意の位置に設けることができる。
【００２２】
なお、画像形成を行うシート媒体Ｓの厚さは、画像形成に先立ち、オペレータがオペレータパネル５を利用して設定することができる。本実施形態では、画像形成を行うシート媒体Ｓの厚さを設定する操作入力をオペレータパネル５が受け付けた場合は、この操作入力に基づいて、画像形成を行うシート媒体Ｓの厚さを特定するものとする。一方、オペレータパネル５がこのような操作入力を受け付けていない場合、または、オペレータパネル５が受け付けた操作入力に応じたシート媒体Ｓの厚さが厚さ検知装置３により検知された厚さと異なる場合に、厚さ検知装置３により検知された厚さを、画像形成を行うシート媒体Ｓの厚さとして特定する。ただし、このような構成に限らず、厚さ検知装置３により検知された厚さのみに基づいて画像形成を行うシート媒体Ｓの厚さを特定する構成であってもよいし、厚さ検知装置３を設けずに、オペレータパネル５を利用したオペレータの操作入力のみに基づいて画像形成を行うシート媒体Ｓの厚さを特定する構成であってもよい。
【００２３】
また、本実施形態の画像形成装置１では、冷却ユニット３０の温度を温度センサ４（検出手段）により検出する。なお、本実施形態では、温度センサ４により冷却ユニット３０の温度を検出する構成としているが、温度センサ４は、シート媒体Ｓの加熱または冷却に関わる温度を検出するように設けられていればよい。例えば、温度センサ４により定着装置１８の温度を検出する構成であってもよい。
【００２４】
オペレータパネル５が受け付けたオペレータの操作入力に応じた操作情報、厚さ検知装置３が検知した厚さを示す厚さ情報、および温度センサ４が検出した温度を示す温度情報は、画像形成により加熱されたシート媒体Ｓを直接または間接的に冷却するための冷却ファンの制御に用いる情報として、後述のシステム制御回路に供給される。なお、本実施形態における冷却ファンの制御については、詳細を後述する。
【００２５】
次に、画像形成により加熱されたシート媒体Ｓを冷却するための冷却ユニット３０の具体例について説明する。
【００２６】
図２は、冷却ユニット３０の構成例を示す図である。この冷却ユニット３０は、画像形成により加熱されたシート媒体Ｓの熱を、循環する冷却液３１に伝熱させて該シート媒体Ｓを冷却する構成である。この冷却ユニット３０は、図２に示すように、直列接続された複数の冷却ジャケット３２ａ，３２ｂ，３２ｃと、一対の冷却ベルト３３ａ，３３ｂと、冷却液３１の熱を外気に放熱するラジエータ３４と、冷却液３１を循環させるポンプ３５と、を備える。
【００２７】
冷却ジャケット３２ａ，３２ｂ，３２ｃには、ポンプ３５の駆動により循環供給される冷却液３１が順次流れる。一対の冷却ベルト３３ａ，３３ｂは、これら冷却ジャケット３２ａ，３２ｂ，３２ｃに架け渡されており、ローラ駆動により巡回移動する。画像形成により加熱されたシート媒体Ｓは、一対の冷却ベルト３３ａ，３３ｂの間に挟み込まれた状態で図中矢印Ｃ方向に搬送される。このとき、シート媒体Ｓの表裏面が一対の冷却ベルト３３ａ，３３ｂに接触することで、シート媒体Ｓの熱が冷却ベルト３３ａ，３３ｂおよび冷却ジャケット３２ａ，３２ｂ，３２ｃを介して冷却液３１に伝熱される。これにより、シート媒体Ｓが冷却される。
【００２８】
シート媒体Ｓの熱を受けて加熱された冷却液３１は、ラジエータ３４を通過する際に熱を外気に放熱することで冷却される。そして、低温になった冷却液３１が再度冷却ジャケット３２ａ，３２ｂ，３２ｃに供給され、以上のサイクルが繰り返される。
【００２９】
本実施形態の画像形成装置１では、このような冷却ユニット３０によるシート媒体Ｓの冷却を効率よく行うため、ラジエータ３４に通気するための冷却ファンのほか、冷却ジャケット３２ａ，３２ｂ，３２ｃや冷却ベルト３３ａ，３３ｂに対して送風する冷却ファンなど、多数の冷却ファンが設けられている。つまり、これらの冷却ファンは、冷却ユニット３０を冷却することで、画像形成により加熱されたシート媒体Ｓを間接的に冷却するために用いられる。また、画像形成により加熱されたシート媒体Ｓに対して送風することで、このシート媒体Ｓを直接冷却するための冷却ファンがさらに設けられていてもよい。
【００３０】
これら冷却ファンは、画像形成により加熱されたシート媒体Ｓを冷却するのに必要な冷却性能を過不足なく得られるように、温度センサ４により検出された冷却ユニット３０の温度（以下、「冷却ユニット温度」と呼ぶ。）と、画像形成に用いるシート媒体Ｓの厚さ（以下、「シート厚」と呼ぶ。）とに基づいて制御される。温度センサ４は、例えば、冷却ジャケット３２ａ，３２ｂ，３２ｃや冷却ベルト３３ａ，３３ｂ、ラジエータ３４などの近傍に配置され、冷却ユニット温度を検出する。シート厚は、上述したように、オペレータパネル５が受け付けたオペレータの操作入力に応じた操作情報や、厚さ検知装置３が検知した厚さを示す厚さ情報などに基づいて特定される。
【００３１】
なお、本実施形態では、冷却ユニット温度とシート厚とに基づいて冷却ファンを制御するが、シート厚に代えて、あるいはシート厚と組み合わせて、シート媒体Ｓのサイズや素材など、シート媒体Ｓの熱容量に関わる他の属性値を用いて冷却ユニットの制御を行うようにしてもよい。シート媒体Ｓのサイズは、オペレータパネル５を利用してオペレータが設定するほか、例えば光学的にサイズを検知する公知の検知装置を用いて検知することができる。また、シート媒体Ｓの素材（例えば、普通紙、コート紙など）は、オペレータパネル５を利用してオペレータが設定するほか、シート媒体Ｓからの正反射光や拡散反射光をもとに素材（媒体種）を検知する公知の検知装置を用いて検知することができる。
【００３２】
次に、本実施形態の画像形成装置１における冷却ファンの制御の詳細について説明する。
【００３３】
図３は、画像形成装置１における冷却ファンの制御に関わる制御系のハードウェア構成例を示すブロック図である。本実施形態の画像形成装置１では、システム制御回路５０において、上述した多数の冷却ファン（以下、これらを総称して「冷却ファン６０」と表記する。）を制御する。システム制御回路５０には、冷却ファン６０のほか、上述したオペレータパネル５、厚さ検知装置３、温度センサ４などが接続されている。また、システム制御回路５０には、電源供給が遮断されても記憶した情報を保持するＮＶＲＡＭ（Non-volatile  RAM）５５が接続されている。
【００３４】
なお、システム制御回路５０は、冷却ファン６０の制御だけでなく、画像形成に関わる他の制御を同時に行う構成であってもよい。システム制御回路５０としては、例えば、冷却ファン６０の制御機能を有するように設計されたＦＰＧＡ（Field-programmable  Gate  Array）やＡＳＩＣ（Application  Specific  Integrated  Circuit）などを用いることができる。また、ＣＰＵやＲＡＭ、ＲＯＭなどを備えるコンピュータシステム上で冷却ファン６０の制御用のプログラムを実行することにより、システム制御回路５０を実現する構成であってもよい。
【００３５】
図４は、システム制御回路５０の機能的な構成例を示すブロック図である。図４に示すように、システム制御回路５０は、冷却ファン６０の制御に関わる機能的な構成要素として、特定部５１（特定手段）と、ファン制御部５２（制御手段）と、搬送制御部５３（搬送制御手段）とを備える。
【００３６】
特定部５１は、オペレータパネル５から送られる操作情報や厚さ検知装置３から送られる厚さ情報に基づき、シート媒体Ｓの熱容量に関わる属性値の一つであるシート厚（画像形成を行うシート媒体Ｓの厚さ）を特定する。例えば、特定部５１は、オペレータパネル５からオペレータが設定した厚さを示す操作情報を受け取った場合は、この操作情報が示す厚さをシート厚として特定する。一方、特定部５１は、オペレータパネル５から厚さを示す操作情報を受け取っていない場合、または、オペレータパネル５から受け取った操作情報が示す厚さが、厚さ検知装置３から受け取った厚さ情報が示す厚さと異なる場合は、厚さ検知装置３から受け取った厚さ情報が示す厚さをシート厚として特定する。このように構成することで、オペレータがシート厚の設定を行わなかった場合や設定を間違えた場合であっても、冷却ファン６０を適切に制御することができる。特定部５１が特定したシート厚は、ファン制御部５２に通知される。
【００３７】
なお、本実施形態では冷却ファン６０の制御にシート厚を用いるため、特定部５１がシート厚を特定している。画像形成を行うシート媒体Ｓのサイズや素材など、シート媒体Ｓの熱容量に関わる他の属性値を用いて冷却ファン６０の制御を行う場合には、特定部５１がこれら他の属性値を特定する。シート厚と他の属性値とを組み合わせて冷却ファン６０の制御を行うようにすれば、冷却ファン６０をきめ細かく制御することができる。
【００３８】
ファン制御部５２は、温度センサ４により検出された冷却ユニット温度と、特定部５１により特定されたシート厚とに基づいて、画像形成により加熱されたシート媒体Ｓを冷却するのに必要な冷却性能を過不足なく得られる冷却ファン６０の制御状態を決定し、この制御状態に冷却ファン６０を制御する。ここで冷却ファン６０の制御状態は、冷却ファン６０の駆動個数と回転速度の少なくとも一方を含む。冷却ファン６０の駆動個数は、駆動する冷却ファン６０に対して電源供給をオンし、駆動しない冷却ファン６０に対する電源供給をオフすることで制御する。冷却ファン６０の回転速度は、駆動する冷却ファン６０の回転速度をＰＷＭ制御する場合、ＰＷＭ信号のＤＵＴＹを指定することで制御する。
【００３９】
ＮＶＲＡＭ５５には、冷却ユニット温度とシート厚との組み合わせに応じて予め定められた複数の制御状態が記憶されている。ファン制御部５２は、例えば、ＮＶＲＡＭ５５が記憶する複数の制御状態のうち、温度センサ４により検出された冷却ユニット温度と、特定部５１により特定されたシート厚との組み合わせに対応する制御状態となるように、冷却ファン６０を制御する。
【００４０】
ＮＶＲＡＭ５５が記憶する複数の制御状態の一例を図５に示す。この図５に示す例では、一例として、冷却ユニット温度を３５〜４０℃、４１〜４５℃、４６〜５０℃の３つの温度範囲に分類し、シート厚を１〜３、４〜６、７〜９の３つの区分に分類している。そして、３つの温度範囲と３つの区分のシート厚との組み合わせに応じた９通りの制御状態が定められている。なお、シート厚１〜９は、５０〜４００ｇ／ｍ２程度を想定しており、シート厚１が最も薄く、シート厚９が最も厚い厚さを表している。また、図中の１〜８の番号は、制御対象となる個々の冷却ファン６０に付された番号である。本例では、制御対象となる冷却ファン６０の個数が８個であるものとしている。
【００４１】
図５（ａ）は、冷却ユニット温度が３５〜４０℃の温度範囲内のときの制御状態の一例を表形式で表しており、シート厚が１〜３のとき、シート厚が４〜６のとき、シート厚が７〜９のときのそれぞれについて、対応する制御状態が定められている。また、図５（ｂ）は、冷却ユニット温度が４１〜４５℃の温度範囲内のときの制御状態の一例を表形式で表しており、シート厚が１〜３のとき、シート厚が４〜６のとき、シート厚が７〜９のときのそれぞれについて、対応する制御状態が定められている。また、図５（ｃ）は、冷却ユニット温度が４６〜５０℃の温度範囲内のときの制御状態の一例を表形式で表しており、シート厚が１〜３のとき、シート厚が４〜６のとき、シート厚が７〜９のときのそれぞれについて、対応する制御状態が定められている。
【００４２】
例えば、温度センサ４により検出された冷却ユニット温度が３５〜４０℃の温度範囲内であり、特定部５１により特定されたシート厚が４〜６のいずれかである場合、ファン制御部５２は、図５（ａ）に示す制御状態のうち、シート厚４〜６に対応する制御状態を選択する。そして、ファン制御部５２は、番号が４番の冷却ファン６０がＤＵＴＹ５０％で回転し、番号が３番の冷却ファン６０と番号が６番の冷却ファン６０がＤＵＴＹ１００％で回転し、それ以外の冷却ファン６０が停止するように制御する。
【００４３】
なお、図５に示した冷却ファン６０の制御状態はあくまで一例であり、これに限らない。上述したように、シート厚に代えて、あるいはシート厚と組み合わせて、シート媒体Ｓのサイズ（Ａ４などの固定サイズだけではなく長尺の７００ｍｍなども含める）や素材（普通紙、コート紙など）の他の属性値に応じて、冷却ファン６０の制御状態が定められていてもよい。また、冷却ユニット温度の代わりに例えば定着装置１８の温度など、シート媒体Ｓの加熱または冷却に関わる他の温度に応じて、冷却ファン６０の制御状態が定められていてもよい。
【００４４】
また、冷却ユニット３０が冷却ベルト３３ａ，３３ｂの移動速度、つまり冷却ベルト３３ａ，３３ｂに挟み込まれて搬送されるシート媒体Ｓの搬送速度を変更可能な構成の場合、ファン制御部５２は、この冷却ユニット３０によるシート媒体Ｓの搬送速度に応じて、冷却ファン６０の制御状態を調整するようにしてもよい。例えば、冷却ユニット３０によるシート媒体Ｓの搬送速度が速い場合は、シート媒体Ｓから冷却液３１に伝熱される熱量が減少するため、冷却ユニット３０を冷却する冷却ファン６０よりもシート媒体Ｓを直接冷却する冷却ファン６０を優先的に駆動するように冷却ファン６０の制御状態を調整する。一方、冷却ユニット３０によるシート媒体Ｓの搬送速度が遅い場合は、シート媒体Ｓから冷却液３１に伝熱される熱量が増加するため、シート媒体Ｓを直接冷却する冷却ファン６０よりも冷却ユニット３０を冷却する冷却ファン６０を優先的に駆動するように冷却ファン６０の制御状態を調整することが考えられる。
【００４５】
また、ファン制御部５２は、特定部５１により特定されたシート厚、つまり画像形成を行うシート媒体Ｓの厚さが、第１の厚さ（図５に示した例では厚さの区分）から該第１の厚さよりも薄い（熱容量が小さい）第２の厚さ（図５に示した例では厚さの区分）に変化した場合に、冷却ファン６０の制御状態を第２の厚さに対応する制御状態に直ぐに変更せずに、以下のような制御を行う。すなわち、特定部５１により特定されたシート厚が第１の厚さから第２の厚さに変化した場合、ファン制御部５２は、変化後の所定時間の間、冷却ファン６０の制御状態を、温度センサ４により検出された冷却ユニット温度と第１の厚さとの組み合わせに対応する制御状態に維持する。そして、特定部５１により特定されるシート厚が所定時間の間、第２の厚さから変化しない場合に、所定時間が経過した後に、冷却ファン６０の制御状態を、温度センサ４により検出された冷却ユニット温度と第２の厚さとの組み合わせに対応する制御状態に変更する。
【００４６】
第２の厚さのシート媒体Ｓは、第１の厚さのシート媒体Ｓよりも熱容量が小さいため、第１の厚さのシート媒体Ｓよりも低い冷却性能で冷却することができる。しかし、ファン制御部５２が冷却ファン６０の制御状態を変更してから冷却性能が変化するまでに時間（応答時間）を要するため、シート厚が第１の厚さから第２の厚さに変化した直後に冷却ファン６０の制御状態を変更すると、例えば、シート厚の変化が一時的なものであり、応答時間の間にシート厚が第１の厚さに戻る場合などに、突然の冷却不足が生じてしまう。そこで、本実施形態では、特定部５１により特定されたシート厚が第１の厚さから第２の厚さに変化した場合、ファン制御部５２が上述した制御を行うことにより、このような不都合を生じさせないようにしている。
【００４７】
なお、上述した所定時間は、例えば、冷却ユニット３０において冷却液３１が一巡するのに要する時間に基づいて決定しておけばよい。これは、冷却ユニット３０において冷却液３１が一巡するのに要する時間が、冷却ファン６０の制御状態を変更してから冷却性能が変化するまでの応答時間と大きく関連するためである。また、上述した所定時間を設定するオペレータの操作入力をオペレータパネル５が受け付けた場合は、この操作入力に基づいて上述した所定時間を決定するようにしてもよい。この場合、オペレータは、例えば冷却ユニット３０や画像形成装置１全体におけるシート媒体Ｓの搬送速度などを考慮して、上述した所定時間を最適な値に設定することができる。そのほか、例えば、温度センサ４により検出された冷却ユニット温度の推移や定着装置１８の温度推移などに基づいて、上述した所定時間を決定するようにしてもよい。
【００４８】
図４に戻り、搬送制御部５３は、ファン制御部５２が冷却ファン６０を冷却能力が最大となる制御状態に制御している間に温度センサ４により検出された冷却ユニット温度が所定温度を超えた場合に、画像形成を行うシート媒体Ｓの搬送間隔を大きくする（間欠印刷）、または、画像形成を行うシート媒体Ｓの搬送速度を低下させるように制御する。搬送制御部５３がこのような制御を行うことにより、シート媒体Ｓの冷却に必要な冷却性能を十分に確保することができる。なお、シート媒体Ｓの搬送間隔は、例えば、作像ユニット１０ａ，１０ｂ，１０ｃ，１０ｄにおける作像のタイミングおよび給紙トレイ２ａ，２ｂにおける給紙のタイミングを制御することで調整できる。また、シート媒体Ｓの搬送速度は、例えば、搬送路に沿ってシート媒体Ｓを搬送するための搬送ローラの回転速度を制御することで調整できる。
【００４９】
次に、ファン制御部５２による冷却ファン６０の制御の具体例を説明する。
【００５０】
図６は、複数のジョブに応じた画像形成動作を連続して行っている間にシート厚が変化した場合の冷却ファン６０の制御例を説明するタイミングチャートである。図の横軸が時間、縦軸がシート厚および冷却ファン６０の駆動個数をそれぞれ示している。なお、図６の例では、説明を分かり易くするため、温度センサ４により検出される冷却ユニット温度が３５〜４０℃の温度範囲から変化しないものとしている。
【００５１】
まず、図中Ｔ１１のタイミングで、シート厚１〜３のシート媒体Ｓを用いるジョブが開始されたとする。このとき、ファン制御部５２は、２つの冷却ファン６０（３番および６番）がＤＵＴＹ５０％で回転し、残りの冷却ファン６０が停止するように制御する。つまり、冷却ファン６０の駆動個数は２個となる。
【００５２】
次に、図中Ｔ１２のタイミングで、シート厚４〜６のシート媒体Ｓを用いるジョブが開始されたとする。このとき、ファン制御部５２は、１つの冷却ファン６０（４番）がＤＵＴＹ５０％で回転し、２つの冷却ファン６０（３番および６番）がＤＵＴＹ１００％で回転し、残りの冷却ファン６０が停止するように制御する。つまり、冷却ファン６０の駆動個数は３個となる。
【００５３】
次に、図中Ｔ１３のタイミングで、シート厚７〜９のシート媒体Ｓを用いるジョブが開始されたとする。このとき、ファン制御部５２は、４つの冷却ファン６０（３番、４番、６番および７番）がＤＵＴＹ１００％で回転し、残りの冷却ファン６０が停止するように制御する。つまり、冷却ファン６０の駆動個数は４個となる。
【００５４】
次に、図中Ｔ１４のタイミングで、シート厚４〜６のシート媒体Ｓを用いるジョブが開始されたとする。このとき、ファン制御部５２は、冷却ファン６０の制御状態を変更することなく、Ｔ１４から３０ｓｅｃ（所定時間）が経過するまでの間、冷却ファン６０の駆動個数が４個の制御状態を維持する。
【００５５】
次に、図中のＴ１５のタイミングで、Ｔ１４から３０ｓｅｃが経過したとする。このとき、ファン制御部５２は、Ｔ１４からＴ１５の間、シート厚が４〜６のままであったか否かを判定する。ここでは、シート厚が４〜６のままであったため、ファン制御部５２は、冷却ファン６０の制御状態を、シート厚４〜６に対応する制御状態、つまり、冷却ファン６０の駆動個数が３個となる制御状態に変更する。
【００５６】
次に、図中のＴ１６のタイミングで、シート厚１〜３のシート媒体Ｓを用いるジョブが開始されたとする。このとき、ファン制御部５２は、冷却ファン６０の制御状態を変更することなく、Ｔ１６から３０ｓｅｃ（所定時間）が経過するまでの間、冷却ファン６０の駆動個数が３個の制御状態を維持する。
【００５７】
次に、図中のＴ１７のタイミングで、Ｔ１６から３０ｓｅｃが経過したとする。このとき、ファン制御部５２は、Ｔ１６からＴ１７の間、シート厚が１〜３のままであったか否かを判定する。ここでは、Ｔ１６からＴ１７の間に、シート厚４〜６のシート媒体Ｓを用いるジョブが混在しているものとする。この場合、Ｔ１６からＴ１７の間に、シート厚が１〜３から４〜６に変化しているため、ファン制御部５２は、冷却ファン６０の制御状態を、シート厚１〜３に対応する制御状態、つまり、冷却ファン６０の駆動個数が２個となる制御状態に変更せずに、シート厚４〜６に対応する制御状態、つまり、冷却ファン６０の駆動個数が３個となる制御状態を維持する。
【００５８】
なお、図６の例では、冷却ファン６０の制御状態を変更するか否かを判断するための時間、すなわち、Ｔ１４からＴ１５までの時間とＴ１６からＴ１７までの時間を３０ｓｅｃとしているが、これは、冷却ユニット３０において冷却液３１が一巡するのに要する時間に基づいて決定された値である。ファン制御部５２が以上のように冷却ファン６０を制御することにより、例えばＴ１６からＴ１７の間で突然の冷却不足が生じてしまう不都合を有効に回避しながら、効率的な冷却を行うことができる。
【００５９】
図７は、冷却ユニット温度の変化に応じた冷却ファン６０の制御例を説明するタイミングチャートである。図の横軸が時間、縦軸が冷却ユニット温度をそれぞれ示している。なお、図７の例では、説明を分かり易くするため、特定部５１により特定されるシート厚が７〜９から変化しないものとしている。また、画像形成開始時には、ファン制御部５２は、冷却ファン６０を冷却能力が最小となる制御状態、つまり、２つの冷却ファン６０（３番および６番）がＤＵＴＹ５０％で回転し、残りの冷却ファン６０が停止するように制御するものとする。また、冷却ファン６０の冷却能力を最大にすることで制御可能な冷却ユニット温度の上限温度が５０℃であるものとする。
【００６０】
まず、画像形成により加熱されたシート媒体Ｓを冷却ユニット３０により冷却することで冷却ユニット温度が上昇し、図中のＴ２１のタイミングで、温度センサ４により検出された冷却ユニット温度が３５℃を超えたとする。このとき、ファン制御部５２は、４つの冷却ファン６０（３番、４番、６番および７番）がＤＵＴＹ１００％で回転し、残りの冷却ファン６０が停止するように、冷却ファン６０の制御状態を変更する。
【００６１】
次に、冷却ファン６０の制御状態を変更しても冷却ユニット温度が上昇を続け、図中のＴ２２のタイミングで、温度センサ４により検出された冷却ユニット温度が４１℃に達したとする。このとき、ファン制御部５２は、６つの冷却ファン６０（２番、３番、４番、６番、７番および８番）がＤＵＴＹ１００％で回転し、残りの冷却ファン６０が停止するように、冷却ファン６０の制御状態を変更する。
【００６２】
次に、冷却ファン６０の制御状態を変更しても冷却ユニット温度が上昇を続け、図中のＴ２３のタイミングで、温度センサ４により検出された冷却ユニット温度が４６℃に達したとする。このとき、ファン制御部５２は、８つの冷却ファン６０のすべてがＤＵＴＹ１００％で回転するように、つまり冷却ファン６０の冷却能力が最大となるように、冷却ファン６０の制御状態を変更する。
【００６３】
次に、冷却ファン６０の冷却能力を最大にしたことで冷却ユニット温度が低下し、図中のＴ２４のタイミングで、温度センサ４により検出された冷却ユニット温度が４５℃になったとする。このとき、ファン制御部５２は、６つの冷却ファン６０（２番、３番、４番、６番、７番および８番）がＤＵＴＹ１００％で回転し、残りの冷却ファン６０が停止するように、冷却ファン６０の制御状態を変更する。
【００６４】
ファン制御部５２は、温度センサ４により検出される冷却ユニット温度に応じて、冷却ファン６０を以上のように制御する。これにより、冷却ユニット３０を適正な温度範囲（例えば４０〜５０℃）に保ち、効率的な冷却を行うことができる。
【００６５】
なお、図中のＴ２３以降に冷却ファン６０の冷却能力が最大となっても冷却ユニット温度が上昇を続け、温度センサ４により検出された冷却ユニット温度が上限温度に近い温度（例えば４８℃）に達した場合は、搬送制御部５３が、画像形成を行うシート媒体Ｓの搬送間隔を大きくする、または、画像形成を行うシート媒体Ｓの搬送速度を低下させるように制御する。これにより、冷却ユニット温度が上限温度を超えることを防止し、シート媒体Ｓの冷却に必要な冷却性能を十分に確保することができる。
【００６６】
以上の説明では、温度センサ４が冷却ユニット３０の特定箇所の温度を冷却ユニット温度として検出することを想定している。しかし、図２に例示した冷却ユニット３０のように、複数の冷却ジャケット３２ａ，３２ｂ，３２ｃを直列に接続した構成の場合、これら冷却ジャケット３２ａ，３２ｂ，３２ｃに温度勾配が生じている。そして、この温度勾配が、冷却ユニット３０の冷却性能を最適にする範囲である所定範囲から外れると、画像形成により加熱されたシート媒体Ｓを効率よく冷却することが難しくなる。そこで、複数の冷却ジャケット３２ａ，３２ｂ，３２ｃそれぞれの温度を温度センサ４により検出し、冷却ジャケット３２ａ，３２ｂ，３２ｃの温度勾配が所定範囲内となるように、ファン制御部５２が冷却ファン６０の制御状態を調整するようにしてもよい。
【００６７】
図８は、冷却ジャケット３２ａ，３２ｂ，３２ｃの温度勾配を説明する図である。図の横軸が各冷却ジャケット３２ａ，３２ｂ，３２ｃの位置、縦軸が温度をそれぞれ示している。ここで、冷却ジャケット３２ｃの位置を１、温度をｙ１とし、そのときの座標を（１，ｙ１）とする。また、冷却ジャケット３２ｂの位置を２、温度をｙ２とし、そのときの座標を（２，ｙ２）とする。また、冷却ジャケット３２ａの位置を３、温度をｙ３とし、そのときの座標を（３，ｙ３）とする。これら３つの座標から回帰直線ｙ＝ａｘ＋ｂを求める。この回帰直線の傾きａが、冷却ジャケット３２ａ，３２ｂ，３２ｃの温度勾配を表している。なお、回帰直線は、例えば下記式（１）により求めることができる。
【数１】
2016145875.tif 000003
【００６８】
ファン制御部５２は、温度センサ４により検出される冷却ジャケット３２ａ，３２ｂ，３２ｃそれぞれの温度から、冷却ジャケット３２ａ，３２ｂ，３２ｃの温度勾配を表す回帰直線の傾きａを随時算出する。そして、この傾きａが、冷却ユニット３０の冷却性能を最適にする所定範囲内（例えば−５．５から−５の範囲内）となるように、冷却ファン６０の制御状態を調整する。例えば、冷却ファン６０の駆動個数が６個となる制御状態で冷却ファン６０を制御しているとき、算出した傾きａが、ａ≧−５であれば冷却ファン６０の駆動個数が８個となるように制御状態を調整し、−６≦ａ＜−５．５であれば冷却ファン６０の駆動個数が４個、−６＞ａであれば冷却ファン６０の駆動個数が２個となるように制御状態を調整する。冷却ジャケット３２ｃの温度ｙ１が５０℃、冷却ジャケット３２ｂの温度ｙ２が４１℃、冷却ジャケット３２ａの温度ｙ３が３８℃であった場合、回帰直線はｙ＝−６＋５５となるので、ファン制御部５２は、冷却ファン６０の駆動個数が４個となるように、冷却ファン６０の制御状態を調整する。これにより、冷却ユニット３０の冷却性能を最適な状態に維持することができる。
【００６９】
以上、具体的な例を挙げながら詳細に説明したように、本実施形態の画像形成装置１では、ファン制御部５２が、温度センサ４により検出された冷却ユニット温度と、特定部５１により特定されたシート厚とに基づいて、冷却ファン６０を制御する。そして、特定部５１により特定されたシート厚が第１の厚さから該第１の厚さよりも薄い（熱容量が小さい）第２の厚さに変化した場合、ファン制御部５２は、変化後の所定時間の間は冷却ファン６０の制御状態を第１の厚さに対応する制御状態に維持し、所定時間の間にシート厚が第２の厚さから変化しない場合に、所定時間が経過した後に、冷却ファン６０の制御状態を第２の厚さに対応する制御状態に変更する。したがって、本実施形態の画像形成装置１によれば、加熱されたシート媒体Ｓを冷却するのに十分な冷却性能を確保しながら消費電力を低減できるように、冷却ファン６０を適切に制御することができる。
【００７０】
また、本実施形態の画像形成装置１によれば、ファン制御部５２が、冷却ユニット３０によるシート媒体Ｓの搬送速度に応じて冷却ファン６０の制御状態を調整することにより、加熱されたシート媒体Ｓをさらに効率よく冷却することができる。
【００７１】
また、本実施形態の画像形成装置１によれば、ファン制御部５２が、冷却ユニット３０の複数の冷却ジャケット３２ａ，３２ｂ，３２ｃの温度勾配が所定範囲内となるように冷却ファン６０の制御状態を調整することにより、冷却ユニット３０の冷却性能を最適な状態に維持して、加熱されたシート媒体Ｓをさらに効率よく冷却することができる。
【００７２】
また、本実施形態の画像形成装置１によれば、冷却ファン６０を冷却能力が最大となる制御状態で制御しても冷却ユニット温度が上昇して所定温度を超えた場合に、搬送制御部５３が、画像形成を行うシート媒体Ｓの搬送間隔を大きくする、または、画像形成を行うシート媒体Ｓの搬送速度を低下させるように制御することにより、冷却ユニット３０を適正な温度範囲に保って、加熱されたシート媒体Ｓをさらに効率よく冷却することができる。
【００７３】
また、本実施形態の画像形成装置１によれば、特定部５１が、オペレータパネル５により受け付けたオペレータの操作入力に基づいてシート厚を特定することにより、画像形成により加熱されたシート媒体Ｓに必要な冷却性能を事前に予測し、応答性のよい制御を実現することができる。
【００７４】
また、本実施形態の画像形成装置１によれば、シート厚を設定するオペレータの操作入力がない場合、または、オペレータの操作入力に応じた厚さが厚さ検知装置３により検知された厚さと異なる場合に、特定部５１が、厚さ検知装置３により検知された厚さをシート厚として特定することにより、オペレータがシート厚の設定を行わなかった場合や設定を間違えた場合であっても、冷却ファン６０を適切に制御することができる。
【００７５】
以上、本発明の具体的な実施形態について説明したが、上述した実施形態は本発明の一適用例を示したものである。本発明は、上述した実施形態そのままに限定されるものではなく、実施段階ではその要旨を逸脱しない範囲で様々な変形や変更を加えて具体化することができる。
【００７６】
例えば、上述した実施形態では、本発明を適用した画像形成装置の一例として、電子写真方式でフルカラーの画像形成を行うタンデム型の画像形成装置を例示したが、本発明は、冷却ファンを利用して、画像形成により加熱されたシート媒体を冷却する構成の様々なタイプの画像形成装置に対して有効に適用することができる。
【符号の説明】
【００７７】
１  画像形成装置
３  厚さ検知装置
４  温度センサ
５  オペレータパネル
１８  定着装置
３０  冷却ユニット
３１  冷却液
３２ａ，３２ｂ，３２ｃ  冷却ジャケット
５０  システム制御回路
５１  特定部
５２  ファン制御部
５３  搬送制御部
５５  ＮＶＲＡＭ
６０  冷却ファン
Ｓ  シート媒体
【先行技術文献】
【特許文献】
【００７８】
【特許文献１】特開２０１２−１４１４１４号公報
【図２】
2016145875.tif 000004
【図３】
2016145875.tif 000005
【図４】
2016145875.tif 000006
【図５】
2016145875.tif 000007
【図６】
2016145875.tif 000008
【図７】
2016145875.tif 000009
【図８】
2016145875.tif 000010
【図１】
2016145875.tif 000011